(57)【特許請求の範囲】
【請求項１】
車両の、少なくとも駆動源を有する駆動システムを冷却する冷却装置であって、
前記駆動システムの構成部品に接するように設けられ、冷却媒体が循環するように形成される冷却通路と、
前記冷却通路の途中に設けられ、前記冷却媒体の熱を放熱する熱交換器と、
前記冷却媒体を流通させるための流通手段と、
前記流通手段を制御するための制御手段とを含み、
前記制御手段は、前記駆動システムが走行準備状態になると、前記走行準備状態以外の通常制御状態における第１流量よりも小さい第２流量で前記冷却媒体が流通するように、前記流通手段を制御するための手段を含む、車両の冷却装置。
【請求項２】
前記制御手段は、前記走行準備状態になった後において、前記駆動システムの構成部品および前記冷却媒体のうち、少なくともいずれかの温度に基づいて、前記第２流量で前記冷却媒体が流通するように前記流通手段を制御するための手段を含む、請求項１に記載の車両の冷却装置。
【請求項３】
前記冷却装置は、前記冷却媒体の温度を検知するための検知手段をさらに含み、
前記制御手段は、前記検知された温度に基づいて前記第２流量で前記冷却媒体が流通するように前記流通手段を制御するための手段を含む、請求項２に記載の車両の冷却装置。
【請求項４】
前記車両は、少なくともモータジェネレータを駆動源とする車両であって、
前記冷却装置は、前記モータジェネレータの温度を検知するための検知手段をさらに含み、
前記制御手段は、前記検知されたモータジェネレータの温度に基づいて前記第２流量で前記冷却媒体が流通するように前記流通手段を制御するための手段を含む、請求項２に記載の車両の冷却装置。
【請求項５】
前記車両は、少なくともモータジェネレータを駆動源とする車両であって、前記駆動システムは、前記モータジェネレータに電力を供給する電気機器を含み、
前記冷却装置は、前記電気機器の温度を検知するための検知手段をさらに含み、
前記制御手段は、前記検知された電気機器の温度に基づいて前記第２流量で前記冷却媒体が流通するように前記流通手段を制御するための手段を含む、請求項２に記載の車両の冷却装置。
【請求項６】
前記熱交換器は、
前記冷却通路から供給される前記冷却媒体を流通し、通路断面積が前記冷却通路よりも小さい複数の冷却配管と、
各前記冷却配管間に設けられる放熱部材とを含む、請求項１〜５のいずれかに記載の車両の冷却装置。
【請求項７】
前記車両は、内燃機関とモータジェネレータとが搭載されるハイブリッド車両であって、
前記モータジェネレータの冷却装置は、前記内燃機関の冷却装置とは独立して設けられる、請求項１〜６のいずれかに記載の車両の冷却装置。
【請求項８】
前記制御手段は、前記車両のＩＧスイッチがオンされてから予め定められた時間が経過するまで前記第２流量で前記冷却媒体が流通するように、前記流通手段を制御し、前記予め定められた時間が経過した後に前記第１流量で前記冷却媒体が流通するように、前記流通手段を制御する、請求項１に記載の車両の冷却装置。
【発明の詳細な説明】
【技術分野】
【０００１】
本発明は、車両の駆動源および駆動源に関連した構成部品を冷却する冷却装置に関し、特にデッドソーク後のシステム再始動時における冷却媒体の流量制御に関する。
【背景技術】
【０００２】
従来、回転電機の動力により走行する電気自動車、ハイブリッド自動車および燃料電池自動車が知られている。このような車両には、エンジンを駆動源とする車両と異なり、モータジェネレータ、インバータおよびコンバータ等が搭載されており、このような発熱体を冷却する冷却装置が搭載される。
【０００３】
この冷却装置は、冷却媒体が流れる冷却通路と、その冷却通路において冷却媒体を循環させるポンプと、冷却媒体の熱を放熱するラジエータ等の熱交換器とを含む。この冷却通路は、モータジェネレータ、インバータおよびコンバータなどの表面や内部などに張りめぐらされている。
【０００４】
このような冷却装置が搭載された車両においては、高負荷運転後に直ちに車両のシステムを停止すると（以下、デッドソークともいう）、ポンプの作動が停止されるため、冷却媒体の流通が停止する。そのため、モータジェネレータ等の発熱体の周囲に停滞する冷却媒体の温度が増加する。そして、増加した冷却媒体の温度が発熱体の自然冷却とともに低下するまでに車両のシステムが再始動すると、ポンプの作動に応じて発熱体の周囲に停滞していた高温の冷却媒体が冷却通路を流通することなり、熱応力の発生に起因した熱衝撃などの熱害が発生する場合がある。
【０００５】
このような問題に鑑みて、たとえば、特開平１０−２３８３４５号公報（特許文献１）は、音振性能の低下とバッテリの電力消費を最小限に抑制しながら、原動機停止後の原動機の過熱を防止するハイブリッド電気自動車の冷却装置を開示する。この冷却装置は、原動機と第１のラジエータとの間で第１の冷却水ポンプにより冷却水を循環させ、第１のラジエータで第１の冷却ファンにより冷却水を冷却する第１の冷却系と、発電機と電動機と第２のラジエータとの間で第２の冷却水ポンプにより冷却水を循環させ、第２のラジエータで第２の冷却ファンにより冷却水を冷却する第２の冷却系とを備える。冷却装置は、第１の冷却系の冷却水温度を検出する第１の温度検出手段と、第２の冷却系の冷却水温度を検出する第２の温度検出手段と、単独モードでは第１の冷却系と第２の冷却系とでそれぞれ別個に冷却水を循環させ、連動モードでは第１の冷却系の冷却水を第１のラジエータと第２のラジエータと原動機との間で循環させる冷却水流路切換手段と、自動車のキースイッチがオフされると、第２の冷却系の冷却水温が第１の所定値以下に低下するまで第１の冷却系と第２の冷却系とでそれぞれ単独に冷却動作を行ない、第２の冷却系の冷却水温が第１の所定値以下に低下したら第２の冷却水ポンプを停止するとともに、冷却水流路切換手段により連動モードの流路に切り換える制御手段とを備える。
【０００６】
上述した公報に開示された冷却装置によると、キースイッチオフ後の原動機、発電機および電動機の熱害を防止できるとともに、第１の冷却系の冷却能力が上がり、短時間で第１の冷却系の冷却水温度を下げることができ、冷却水ポンプと冷却ファンの運転音と振動による音振性能を向上させることができる。また、キースイッチオフ後の冷却水ポンプと冷却ファンの運転時間が短縮されるので、電池の電力消費が節約される。
【特許文献１】特開平１０−２３８３４５号公報
【発明の開示】
【発明が解決しようとする課題】
【０００７】
しかしながら、上述した公報に開示された冷却装置のように、キースイッチオフ後のエンジン停止時に冷却ポンプあるいは冷却ファンが駆動すると、たとえ短時間であっても騒音および振動が大きくなるという問題がある。また、発電不可の状態で、冷却水ポンプあるいは冷却ファンを駆動させると、電池の電力が消費される。そのため、再始動時と同時に電池の充電が必要となり、特に、ハイブリッド車両の場合、再始動時と同時に電池充電のためにエンジンが起動される場合があり、再始動時において騒音および振動が大きくなるという問題がある。運転者はシステム停止時およびシステム再始動時に上述したような騒音および振動により不快感を感じる可能性がある。
【０００８】
本発明は、上述した課題を解決するためになされたものであって、その目的は、車両のシステム停止中の電池の電力消費を抑制しつつ、デッドソーク後の熱害を抑制する車両の冷却装置を提供することである。
【課題を解決するための手段】
【０００９】
第１の発明に係る車両の冷却装置は、車両の、少なくとも駆動源を有する駆動システムを冷却する。この冷却装置は、駆動システムの構成部品に接するように設けられ、冷却媒体が循環するように形成される冷却通路と、冷却通路の途中に設けられ、冷却媒体の熱を放熱する熱交換器と、冷却媒体を流通させるための流通手段と、流通手段を制御するための制御手段とを含む。制御手段は、駆動システムが走行準備状態になると、走行準備状態以外の通常制御状態における流量と異なる流量になるように、流通手段を制御するための手段を含む。
【００１０】
第１の発明によると、制御手段は、車両の駆動システムが走行準備状態になると（たとえば、運転者がイグニッションスイッチあるいはパワースイッチをオンして駆動システムを始動すると）、走行準備状態以外の通常制御状態における流量と異なる流量（たとえば、通常制御状態における流量よりも小さい流量）になるように、流通手段（たとえば、ポンプ）を制御する。たとえば、駆動システムの走行準備状態における冷却通路内の冷却媒体の流量が、通常制御状態における流量よりも小さくなると、冷却通路内を冷却媒体がゆっくりと流通する。熱交換器において、たとえば、冷却通路よりも小さい断面積を有する複数の冷却配管が設けられているような場合、冷却媒体がゆっくりと流通すると、各冷却配管間の流量の偏りが抑制される。そのため、各冷却配管に略均一の流量の冷却媒体が流通することになるため、複数の冷却配管のうち一部の冷却配管に流量が偏ることによる熱応力の集中を抑制することができる。すなわち、高負荷運転後直ちに駆動システムが停止された後（デッドソーク後）、駆動システムが再始動されても、熱応力の分布が平均化されることにより、応力集中等による熱害を抑制することができる。したがって、システム再始動後の熱衝撃が緩和される。また、始動後の流通手段の作動量が通常制御状態と比較して低くなるため、騒音および振動を低減することができる。一方、駆動システムの走行準備状態における冷却通路内の冷却媒体の流量が、通常制御状態における流量よりも大きくなると、冷却通路内の冷却媒体が速く流通する。冷却通路内において流速の増加により冷却媒体が大きく攪拌されるような構造を有している場合には、デッドソーク後の始動時において、冷却媒体が大きく攪拌されて、冷却通路を流通する冷却媒体の温度分布の偏りが平均化される。そのため、たとえば、システム停止中に駆動源の周辺に停滞していた冷却媒体の温度が平均化される。そのため、冷却媒体の熱に起因した、上述したような熱交換器における応力集中等の熱害を抑制することができる。したがって、システム再始動後の熱衝撃が緩和される。また、流通手段は、システムの再始動とともに作動するため、システム停止中に電池の電力が消費されることもない。したがって、システム停止中の電池の電力消費を抑制しつつ、デッドソーク後の熱害を抑制する車両の冷却装置を提供することができる。
【００１１】
第２の発明に係る車両の冷却装置においては、第１の発明の構成に加えて、制御手段は、駆動システムが走行準備状態である時に、通常制御状態における流量よりも小さい流量に制限するための手段を含む。
【００１２】
第２の発明によると、制御手段は、駆動システムが走行準備状態である時に（たとえば、運転者がイグニッションスイッチあるいはパワースイッチをオンして駆動システムを始動した時）、通常制御時の流量よりも小さい流量に制限する。これにより、駆動システムの始動時における冷却通路内の冷却媒体の流量が、通常制御状態における流量よりも小さくなると、冷却通路内を冷却媒体がゆっくりと流通する。熱交換器において、たとえば、冷却通路よりも小さい断面積を有する複数の冷却配管が設けられているような場合、冷却媒体がゆっくりと流通すると、各冷却配管間の流量の偏りが抑制される。そのため、各冷却配管に略均一の流量の冷却媒体が流通することになるため、複数の冷却配管のうち一部の冷却配管に流量が偏ることによる熱応力の集中を抑制することができる。すなわち、高負荷運転後直ちに駆動システムが停止された後（デッドソーク後）、システムが再始動されても、熱応力の分布が平均化されることにより、応力集中等による熱害を抑制することができる。したがって、システム再始動後の熱衝撃が緩和される。また、始動後の流通手段の作動量が通常制御状態と比較して低くなるため、騒音および振動を低減することができる。また、流通手段は、システムの再始動とともに作動するため、システム停止中に電池の電力が消費されることもない。
【００１３】
第３の発明に係る車両の冷却装置においては、第１または２の発明の構成に加えて、制御手段は、走行準備状態になった後において、駆動システムの構成部品および冷却媒体のうち、少なくともいずれかの温度に基づいて、通常制御状態における流量と異なる流量になるように流通手段を制御するための手段を含む。
【００１４】
第３の発明によると、制御手段は、走行準備状態になった後（たとえば、運転者がイグニッションスイッチあるいはパワースイッチをオンして駆動システムを始動した後）において、駆動システムの構成部品（たとえば、モータジェネレータ、インバータおよびコンバータ）および冷却媒体のうち、少なくともいずれかの温度に基づいて、通常制御状態における流量と異なる流量（たとえば、通常制御状態における流量よりも小さい流量）になるように流通手段を制御する。駆動システムの構成部品の温度が、たとえば、予め定められた温度以下であると、通常制御状態における流量と異なる流量になるようにすると、デッドソーク後のシステム再始動時であったとしても、比較的温度の高い冷却媒体が流通することによる熱衝撃を緩和することができる。
【００１５】
第４の発明に係る車両の冷却装置は、第３の発明の構成に加えて、冷却媒体の温度を検知するための検知手段をさらに含む。制御手段は、検知された温度に基づいて通常制御状態における流量と異なる流量になるように流通手段を制御するための手段を含む。
【００１６】
第４の発明によると、制御手段は、検知された冷却媒体の温度に基づいて通常制御状態における流量と異なる流量（たとえば、通常制御状態における流量よりも小さい流量）になるように流通手段（たとえば、ポンプ）を制御する。冷却媒体の温度が、たとえば、予め定められた温度範囲内であると、通常制御状態における流量と異なる流量になるようにすると、デッドソーク後のシステム再始動時であったとしても、比較的温度の高い冷却媒体が流通することによる熱衝撃を緩和することができる。
【００１７】
第５の発明に係る車両の冷却装置においては、第３の発明の構成に加えて、車両は、少なくともモータジェネレータを駆動源とする車両である。冷却装置は、モータジェネレータの温度を検知するための検知手段をさらに含む。制御手段は、検知されたモータジェネレータの温度に基づいて通常制御状態における流量と異なる流量になるように流通手段を制御するための手段を含む。
【００１８】
第５の発明によると、制御手段は、検知されたモータジェネレータの温度に基づいて通常制御状態における流量と異なる流量（たとえば、通常制御状態における流量よりも小さい流量）になるように流通手段（たとえば、ポンプ）を制御する。モータジェネレータの温度が、たとえば、予め定められた温度以下であると、通常制御状態における流量と異なる流量になるようにすると、デッドソーク後のシステム再始動時であったとしても、比較的温度の高い冷却媒体が流通することによる熱衝撃を緩和することができる。
【００１９】
第６の発明に係る車両の冷却装置においては、第３の発明の構成に加えて、車両は、少なくともモータジェネレータを駆動源とする車両である。駆動システムは、モータジェネレータに電力を供給する電気機器を含む。冷却装置は、電気機器の温度を検知するための検知手段をさらに含む。制御手段は、検知された電気機器の温度に基づいて通常制御状態における流量と異なる流量になるように流通手段を制御するための手段を含む。
【００２０】
第６の発明によると、制御手段は、検知された電気機器（たとえば、インバータあるいはコンバータ）の温度に基づいて通常制御状態における流量と異なる流量（たとえば、通常制御状態における流量よりも小さい流量）になるように流通手段（たとえば、ポンプ）を制御する。インバータあるいはコンバータの温度が、たとえば、予め定められた温度以下であると、通常制御状態における流量と異なる流量となるようにすると、デッドソーク後のシステム再始動時であったとしても、比較的温度の高い冷却媒体が流通することによる熱衝撃を緩和することができる。
【００２１】
第７の発明に係る車両の冷却装置においては、第１〜６のいずれかの発明の構成に加えて、熱交換器は、冷却通路から供給される冷却媒体を流通し、通路断面積が冷却通路よりも小さい複数の冷却配管と、各冷却配管間に設けられる放熱部材とを含む。
【００２２】
第７の発明によると、熱交換器（たとえば、ラジエータ）は、冷却通路から供給される冷却媒体を流通し、通路断面積が冷却通路よりも小さい複数の冷却配管（たとえば、チューブ）と、各冷却配管間に設けられる放熱部材（冷却フィン）とを含む。システム始動時において、流量を制限することにより、複数の冷却配管に冷却媒体がゆっくり流通する。これにより、各冷却配管間における流量分布の差の発生を抑制することができる。そのため、各冷却配管の膨張により生じる熱応力の分布が略均一になる。したがって、複数の冷却配管の一部における応力集中を回避することができる。すなわち、熱交換器に比較的高い温度が冷却媒体が流通することに起因して発生する熱衝撃を緩和することができる。
【００２３】
第８の発明に係る車両の冷却装置においては、第１〜７のいずれかの発明の構成に加えて、車両は、内燃機関とモータジェネレータとが搭載されるハイブリッド車両である。モータジェネレータの冷却装置は、内燃機関の冷却装置とは独立して設けられる。
【００２４】
第８の発明によると、モータジェネレータの冷却装置は、内燃機関の冷却装置とは独立して設けられる。したがって、ハイブリッド車両において、モータジェネレータの冷却装置が大型化すると、搭載性は悪化する傾向にある。本発明においては、流量を制御することによりデッドソーク後のシステム再始動時の熱衝撃を緩和することができるため、冷却装置の構造を大型化することを要しない。そのため、搭載性の悪化を抑制することができる。
【発明を実施するための最良の形態】
【００２５】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２６】
図１を参照して、本発明の実施の形態に係る冷却装置が搭載されるハイブリッド車両の制御ブロック図を説明する。なお、本発明は図１に示すハイブリッド車両に限定されない。本実施の形態において、駆動源となるモータジェネレータが内燃機関の出力軸と連結されていればよく、二次電池を搭載した他の態様を有するハイブリッド車両であってもよい。また、二次電池ではなくキャパシタ等の蓄電機構であってもよい。また、二次電池である場合には、ニッケル水素電池やリチウムイオン電池などであって、その種類は特に限定されるものではない。また、本発明に係る冷却装置が適用される車両は、ハイブリッド車両に特に限定されるものではなく、たとえば、電気自動車、燃料電池車両、さらには、エンジンを駆動源とする車両に適用してもよい。
【００２７】
ハイブリッド車両は、駆動源としての、たとえばガソリンエンジン等の内燃機関（以下、単にエンジンという）１２０と、モータジェネレータ（ＭＧ）１４０を含む。なお、図１においては、説明の便宜上、モータジェネレータ１４０を、モータ１４０Ａとジェネレータ１４０Ｂ（あるいはモータジェネレータ１４０Ｂ）と表現するが、ハイブリッド車両の走行状態に応じて、モータ１４０Ａがジェネレータとして機能したり、ジェネレータ１４０Ｂがモータとして機能したりする。このモータジェネレータがジェネレータとして機能する場合に回生制動が行なわれる。モータジェネレータがジェネレータとして機能するときには、車両の運動エネルギが電気エネルギに変換されて、車両が減速される。トランスアクスル１００は、内部にモータジェネレータ１４０を収納する。
【００２８】
ハイブリッド車両は、この他に、エンジン１２０やモータジェネレータ１４０で発生した動力を駆動輪１６０に伝達したり、駆動輪１６０の駆動をエンジン１２０やモータジェネレータ１４０に伝達する減速機１８０と、エンジン１２０の発生する動力を駆動輪１６０とジェネレータ１４０Ｂとの２経路に分配する動力分割機構（たとえば、遊星歯車機構）２００と、モータジェネレータ１４０を駆動するための電力を充電する走行用バッテリ２２０と、走行用バッテリ２２０の直流とモータ１４０Ａおよびジェネレータ１４０Ｂの交流とを変換しながら電流制御を行なうインバータ２４０と、走行用バッテリ２２０の充放電状態を管理制御するバッテリ制御ユニット（以下、バッテリＥＣＵ（Electronic Control Unit）という）２６０と、エンジン１２０の動作状態を制御するエンジンＥＣＵ２８０と、ハイブリッド車両の状態に応じてモータジェネレータ１４０およびバッテリＥＣＵ２６０、インバータ２４０等を制御するＭＧ＿ＥＣＵ３００と、バッテリＥＣＵ２６０、エンジンＥＣＵ２８０およびＭＧ＿ＥＣＵ３００等を相互に管理制御して、ハイブリッド車両が最も効率よく運行できるようにハイブリッドシステム全体を制御するＨＶ＿ＥＣＵ３２０等を含む。
【００２９】
本実施の形態において、走行用バッテリ２２０とインバータ２４０との間には昇圧コンバータ２４２が設けられている。これは、走行用バッテリ２２０の定格電圧が、モータ１４０Ａやモータジェネレータ１４０Ｂの定格電圧よりも低いので、走行用バッテリ２２０からモータ１４０Ａやモータジェネレータ１４０Ｂに電力を供給するときには、昇圧コンバータ２４２で電力を昇圧する。
【００３０】
なお、図１においては、各ＥＣＵを別構成としているが、２個以上のＥＣＵを統合したＥＣＵとして構成してもよい（たとえば、図１に、点線で示すように、ＭＧ＿ＥＣＵ３００とＨＶ＿ＥＣＵ３２０とを統合したＥＣＵとすることがその一例である）。
【００３１】
動力分割機構２００は、エンジン１２０の動力を、駆動輪１６０とモータジェネレータ１４０Ｂとの両方に振り分けるために、遊星歯車機構（プラネタリーギヤ）が使用される。モータジェネレータ１４０Ｂの回転数を制御することにより、動力分割機構２００は無段変速機としても機能する。エンジン１２０の回転力はプラネタリーキャリア（Ｃ）に入力され、それがサンギヤ（Ｓ）によってモータジェネレータ１４０Ｂに、リングギヤ（Ｒ）によってモータおよび出力軸（駆動輪１６０側）に伝えられる。回転中のエンジン１２０を停止させる時には、エンジン１２０が回転しているので、この回転の運動エネルギをモータジェネレータ１４０Ｂで電気エネルギに変換して、エンジン１２０の回転数を低下させる。
【００３２】
図１に示すようなハイブリッドシステムを搭載するハイブリッド車両においては、発進時や低速走行時等であってエンジン１２０の効率が悪い場合には、モータジェネレータ１４０のモータ１４０Ａのみによりハイブリッド車両の走行を行ない、通常走行時には、たとえば動力分割機構２００によりエンジン１２０の動力を２経路に分け、一方で駆動輪１６０の直接駆動を行ない、他方でジェネレータ１４０Ｂを駆動して発電を行なう。この時、発生する電力でモータ１４０Ａを駆動して駆動輪１６０の駆動補助を行なう。また、高速走行時には、さらに走行用バッテリ２２０からの電力をモータ１４０Ａに供給してモータ１４０Ａの出力を増大させて駆動輪１６０に対して駆動力の追加を行なう。一方、減速時には、駆動輪１６０により従動するモータ１４０Ａがジェネレータとして機能して回生発電を行ない、回収した電力を走行用バッテリ２２０に蓄える。なお、走行用バッテリ２２０の充電量が低下し、充電が特に必要な場合には、エンジン１２０の出力を増加してジェネレータ１４０Ｂによる発電量を増やして走行用バッテリ２２０に対する充電量を増加する。もちろん、低速走行時でも必要に応じてエンジン１２０の駆動量を増加する制御を行なう。たとえば、上述のように走行用バッテリ２２０の充電が必要な場合や、エアコン等の補機を駆動する場合や、エンジン１２０の冷却水の温度を所定温度まで上げる場合等である。
【００３３】
また、ハイブリッド車両は、イグニッションスイッチ（以下、ＩＧスイッチともいう）４００をさらに含む。運転者がＩＧスイッチ４００をオンすると、ＨＶ＿ＥＣＵ３２０は、ＩＧスイッチ４００のオン信号に応じて、走行用バッテリ２２０と昇圧コンバータ２４２との間に設けられるＳＭＲ（System Main Relay）（図示せず）をオンする。すなわち、ＩＧスイッチ４００のオンにより、モータジェネレータ１４０とインバータ２４０と昇圧コンバータ２４２と走行用バッテリ２２０とを含む、ハイブリッド車両の駆動システムが始動して、走行準備状態となる。なお、ＩＧスイッチ４００に代えてパワースイッチを用いるようにしてもよい。
【００３４】
本実施の形態に係る車両の冷却装置は、図２に示すように、冷却通路１０８と、リザーブタンク１０２と、ラジエータ１０６と、電動ウォータポンプ１０４と、ＨＶ＿ＥＣＵ３２０とから構成される。
【００３５】
冷却通路１０８は、インバータ２４０およびトランスアクスル１００の駆動システムの構成部品に接するように設けられる。具体的には、冷却通路１０８の通路壁の外側が、インバータ２４０の筐体あるいはその内部の駆動素子およびトランスアクスル１００の筐体あるいは筐体内部のモータジェネレータ１４０に当接するように設けられる。また、冷却通路１０８は、インバータ２４０およびトランスアクスル１００を経由して循環するように形成される。冷却通路１０８の内部には、ＬＬＣ（Long Life Coolant）等の不凍液が冷却液として充填される。なお、冷却通路１０８の内部に充填される冷却媒体は、液体に特に限定されるものではなく、たとえば、気体であってもよい。なお、本実施の形態において、冷却通路１０８内の冷却液は、図２の紙面時計回りに循環するものとする。
【００３６】
リザーブタンク１０２は、冷却通路１０８の経路の途中であって、インバータ２４０と電動ウォータポンプ１０４との間の位置に設けられる。本実施の形態において、リザーブタンク１０２は、特にインバータ２４０と電動ウォータポンプ１０４との間に設けられることに限定されるものではない。リザーブタンク１０２は、冷却液が貯蔵されており、また、冷却通路１０８内の冷却液中の気体がリザーブタンク１０２から外部に放出される構造となっている。なお、リザーブタンク１０２に代えてフィラータンクを用いるようにしてもよい。
【００３７】
電動ウォータポンプ１０４は、冷却通路１０８の経路の途中であって、リザーブタンク１０２とトランスアクスル１００との間の位置に設けられる。電動ウォータポンプ１０４は、ＨＶ＿ＥＣＵ３２０からの制御信号に応じて、冷却通路１０８内の冷却液を流通させるポンプである。本実施の形態において電動ウォータポンプ１０４は、ＥＣＵ３２０からの制御信号に応じて、Ｈｉ駆動モードおよびＬｏ駆動モードのうちのいずれか一方の駆動モードで作動する。電動ウォータポンプ１０４のＬｏ駆動モードでの作動時の流量は、Ｈｉ駆動モードでの作動時の流量よりも制限された流量である。各駆動モードにおける流量は、実験等により適合される。
【００３８】
なお、電動ウォータポンプ１０４は、特に択一的な駆動モードを有することに限定されるものではなく、たとえば、ＥＣＵ３２０からの制御信号に応じて、流量を調整するものであってもよい。
【００３９】
ラジエータ１０６は、冷却通路１０８の経路の途中であって、インバータ２４０とトランスアクスル１００との間の位置に設けられる。すなわち、ラジエータ１０６は、トランスアクスル１００に流通した後の冷却液が流通する位置に設けられる。ラジエータ１０６は、熱交換器であって、断面積が冷却通路１０８よりも小さい複数の冷却配管（図示せず）と各冷却配管間に設けられる冷却フィン（図示せず）とから構成される。
【００４０】
また、トランスアクスル１００に収納されるモータ１４０Ａには、モータ１４０Ａの温度を検知するＭＧ温度センサ（１）（図示せず）が設けられる。ＭＧ温度センサ（１）により検知されたＭＧ温度（１）に対応する検知信号は、ＨＶ＿ＥＣＵ３２０に送信される。ＭＧ温度センサ（１）は、たとえば、モータ１４０Ａのコイル部の温度を検知するが特にこれに限定されるものではない。
【００４１】
さらに、トランスアクスル１００に収納されるジェネレータ１４０Ｂには、ジェネレータ１４０Ｂの温度を検知するＭＧ温度センサ（２）（図示せず）が設けられる。ＭＧ温度センサ（２）により検知されたＭＧ温度（２）に対応する検知信号は、ＨＶ＿ＥＣＵ３２０に送信される。ＭＧ温度センサ（２）は、たとえば、ジェネレータ１４０Ｂのコイル部の温度を検知するが特にこれに限定されるものではない。
【００４２】
また、インバータ２４０には、冷却通路１０８内の冷却液の温度（以下、ＨＶ水温ともいう）を検知するＨＶ水温センサ（図示せず）が設けられる。ＨＶ水温センサにより検知されたＨＶ水温に対応する検知信号は、ＨＶ＿ＥＣＵ３２０に送信される。なお、ＨＶ水温センサはインバータ２４０内の位置に限定されるものではない。
【００４３】
さらに、インバータ２４０には、インバータ２４０の温度を検知するインバータ温度センサ（図示せず）が設けられる。インバータ温度センサにより検知されたインバータ温度に対応する検知信号は、ＨＶ＿ＥＣＵ３２０に送信される。インバータ温度センサは、たとえば、インバータ２４０内のリアクトルの温度を検知するが特にこれに限定されるものではない。なお、インバータ２４０に代えて昇圧コンバータ２４２の温度を検知するようにしてもよい。
【００４４】
このような構成の冷却装置において、駆動システムが始動して走行準備状態となるとともに、ＨＶ＿ＥＣＵ３２０の制御信号に応じて電動ウォータポンプ１０４が作動すると、電動ウォータポンプ１０４により流通させられる冷却液は、電動ウォータポンプ１０４からトランスアクスル１００に到達する。トランスアクスル１００には、モータジェネレータ１４０の周囲を囲うように冷却通路（図示せず）が形成されている。トランスアクスル１００に到達した冷却液は、トランスアクスル１００の内部の冷却通路を流通して、モータジェネレータ１４０の熱を吸熱する。そして、トランスアクスル１００を流通した後の冷却液は、ラジエータ１０６に流入する。ラジエータ１０６に流入する冷却液は、ラジエータ１０６を構成する複数の冷却配管のそれぞれに流通する。各冷却配管内を流通する冷却液の熱は、冷却フィンを介して外部に放熱される。ラジエータ１０６には、走行風が当たる車両の前方側の位置に設けられており、車両の走行時には、走行風により放熱量が増加して、冷却液の温度は低下させられる。ラジエータ１０６において温度が低下させられた冷却液は、インバータ２４０に到達する。インバータ２４０を流通することにより、インバータ２４０の作動により発生する熱が冷却通路１０８を流通する冷却液により吸熱される。そして、冷却液は、リザーブタンク１０２を経由して電動ウォータポンプ１０４に戻る。
【００４５】
以上のような構成を有する冷却装置が搭載される車両において、図３に示すように、ＩＧスイッチ４００がオフされるなどして、時間Ｔ（０）にて、車両の駆動システムが停止すると、電動ウォータポンプ１０４の作動が停止する。そのため、車両が高負荷あるいは高速運転した後直ちに駆動システムが停止された後（デッドソーク後）においては、モータジェネレータ１４０の周囲の冷却液は停滞するため、冷却液の温度はモータジェネレータの熱により上昇する。特に、デッドソーク後においては、モータジェネレータ１４０は高温であるため、冷却液の温度上昇の度合も大きい。一方、ラジエータ１０６において停滞する冷却液は、冷却フィンを介して外部に放熱されるため、温度が低下していく。
【００４６】
時間Ｔ（１）以降、駆動システムの停止状態が継続する場合には、図３の細線に示すように、モータジェネレータ１４０の周囲の冷却通路およびラジエータ１０６に停滞する冷却液は、モータジェネレータ１４０の自然冷却により徐々に温度が低下していく。
【００４７】
一方、時間Ｔ（１）にて、運転者がＩＧスイッチ４００をオンするなどして、車両の駆動システムが再始動されると、電動ウォータポンプ１０４が作動するため、停滞していた冷却液が流通を開始する。そのため、図３の太線に示すように、トランスアクスル１００の直前に停滞していた比較的温度の低い冷却液がトランスアクスル１００に流入することにより、モータジェネレータ１４０の熱が冷却液に吸熱される。これにより、モータジェネレータ１４０の周囲の冷却液の温度は急激に低下する。
【００４８】
モータジェネレータ１４０の周囲に停滞していた比較的温度の高い冷却液が流通を開始して、ラジエータ１０６に流入すると、ラジエータ１０６内の冷却液の温度が急激に増加する。そして、電動ウォータポンプ１０４の作動により冷却液が冷却通路１０８を循環すると、モータジェネレータ１４０の周囲の冷却液の温度変化およびラジエータ１０６における冷却液の温度変化は、収束していく。
【００４９】
ここで、図４に示すように、ラジエータ１０６に流入する冷却液は、ラジエータ１０６内の複数の冷却配管のそれぞれを流入する。このときの流水分布は、図４の紙面上下方向の中央部の冷却配管において最も流量が大きくなり、上方向あるいは下方向の冷却配管ほど流量が小さい傾向にある。これは、ラジエータ１０６の入口および出口が、図４の紙面上下方向の中央部において冷却通路１０８に接続されるためである。
【００５０】
図５に図４の破線に囲まれた部分の拡大図を示す。図５に示すように、ラジエータ１０６は、冷却配管１１２，１１４，１１６と、冷却フィン１１８，１２２と、コアプレート１２４とから構成される。
【００５１】
冷却配管１１２，１１４，１１６は、互いに略平行になるように図５の紙面上下方向に沿って設けられる。冷却フィン１１８，１２２は、平板が波状に屈曲されて形成される。冷却フィン１１８は、冷却配管１１２，１１４間に設けられる。冷却フィン１２２は、冷却配管１１４，１１６間に設けられる。そして、冷却配管１２２，１４４，１１６および冷却フィン１１８，１２２は、図５の紙面左右方向から挟みこむように２つのコアプレート１２４が設けられる。２つコアプレート１２４の間の距離は、ラジエータ１０６の構成部材により規制される。
【００５２】
駆動システムの再始動時において、冷却配管１１２，１１４，１１６にトランスアクスル１００に停滞していた比較的温度の高い冷却液が流入すると、冷却配管１１２，１１４，１１６は、冷却液の熱により膨張する。２つのコアプレート１２４間の距離は規制されているため、冷却配管１１２，１１４，１１６が膨張すると、冷却配管１１２，１１４，１１６のコアプレート１２４との接続部に応力が集中する場合がある。
【００５３】
さらに、流水分布が各冷却配管によって異なると、冷却配管からコアプレートに付与する熱応力は、各冷却配管によって異なることとなる。したがって、デッドソーク後に、特に中央部の冷却配管に比較的高い温度の冷却液が集中的に流通すると、中央部の冷却配管に応力集中の度合が大きくなる。そのため、熱害に対して不利な状態となる傾向にある。
【００５４】
そこで、本発明は、車両の駆動システムが走行準備状態になると、ＨＶ＿ＥＣＵ３２０が走行準備状態以外の通常制御状態における流量と異なる流量になるように流通手段を制御する点に特徴を有する。
【００５５】
より具体的には、ＨＶ＿ＥＣＵ３２０は、ＩＧスイッチ４００がオンされ、駆動システムが始動してから予め定められた時間が経過するまで電動ウォータポンプ１０４をＬｏ駆動モードで制御し、予め定められた時間が経過した後は、Ｈｉ駆動モードで制御する。また、ＨＶ＿ＥＣＵ３２０は、ＩＧスイッチ４００がオンされた後、駆動システムの構成部品および冷却液のうち、少なくともいずれかの温度に基づいて、電動ウォータポンプ１０４をＬｏ駆動モードで制御する。
【００５６】
以下、図６を参照して、本実施の形態に係る冷却装置を構成するＨＶ＿ＥＣＵ３２０で実行されるプログラムの制御構造について説明する。
【００５７】
ステップ（以下、ステップをＳと記載する）１００にて、ＨＶ＿ＥＣＵ３２０は、駆動システムの始動時であるか否かを判定する。具体的には、ＨＶ＿ＥＣＵ３２０は、運転者がＩＧスイッチ４００をオンしてから予め定められた時間以内であると、駆動システムの始動時であると判定する。「予め定められた時間」は、少なくともトランクアクスル１００内の冷却液がラジエータ１０６に到達する時間であれば、特に限定される時間ではない。駆動システムの始動時であると（Ｓ１００にてＹＥＳ）、処理はＳ１０２に移される。もしそうでないと（Ｓ１００にてＮＯ）、処理はＳ１１０に移される。
【００５８】
Ｓ１０２にて、ＨＶ＿ＥＣＵ３２０は、ＨＶ水温センサにより検知されるＨＶ水温についてのＨｉ駆動条件が成立するか否かを判断する。ＨＶ＿ＥＣＵ３２０は、たとえば、図７（Ａ）に示すように、ＨＶ水温がＴ（０）からＴ（１）までの予め定められた温度範囲内であると、ＨＶ水温についてのＨｉ駆動条件が不成立であると判断し、Ｔ（０）からＴ（１）までの範囲外になると、Ｈｉ駆動条件が成立すると判断する。ＨＶ水温についてのＨｉ駆動条件が成立すると（Ｓ１０２にてＹＥＳ）、処理はＳ１１０に移される。もしそうでないと（Ｓ１０２にてＮＯ）、処理はＳ１０４に移される。
【００５９】
Ｓ１０４にて、ＨＶ＿ＥＣＵ３２０は、モータ１４０Ａ温度についてＨｉ駆動条件が成立するか否かを判断する。ＨＶ＿ＥＣＵ３２０は、たとえば、図７（Ｂ）に示すように、モータ１４０Ａに設けられたＭＧ温度センサ（１）から送信されるＭＧ温度（１）が予め定められた温度Ｔ（２）以上であると、モータ１４０Ａ温度についてＨｉ駆動条件が成立すると判断する。モータ１４０Ａ温度についてのＨｉ駆動条件が成立すると（Ｓ１０４にてＹＥＳ）、処理はＳ１１０に移される。もしそうでないと（Ｓ１０４にてＮＯ）、処理はＳ１０６に移される。
【００６０】
Ｓ１０６にて、ＨＶ＿ＥＣＵ３２０は、ジェネレータ１４０Ｂ温度についてのＨｉ駆動条件条件が成立するか否かを判断する。ＨＶ＿ＥＣＵ３２０は、たとえば、図７（Ｃ）に示すように、ジェネレータ１４０Ｂに設けられたＭＧ温度センサ（２）から送信されるＭＧ温度（２）が予め定められた温度Ｔ（３）以上であると、ジェネレータ１４０Ｂ温度についてのＨｉ駆動条件が成立すると判断する。ジェネレータ１４０Ｂ温度についてのＨｉ駆動条件が成立すると（Ｓ１０６にてＹＥＳ）、処理はＳ１１０に移される。もしそうでないと（Ｓ１０６にてＮＯ）、処理はＳ１０８に移される。なお、予め定められた温度（２）および（３）は、同じ温度であってもよいし、異なる温度であってもよいものとする。
【００６１】
Ｓ１０８にて、ＨＶ＿ＥＣＵ３２０は、インバータ温度についてのＨｉ駆動条件が成立するか否かを判断する。ＨＶ＿ＥＣＵ３２０は、たとえば、図７（Ｄ）に示すように、インバータ２４０に設けられたインバータ温度センサから送信されるインバータ温度が予め定められた温度Ｔ（４）以上であると、インバータ温度についてのＨｉ駆動条件が成立すると判断する。インバータ温度についてのＨｉ駆動条件が成立すると（Ｓ１０８にてＹＥＳ）、処理はＳ１１０に移される。もしそうでないと（Ｓ１０８にてＮＯ）、処理はＳ１１２に移される。
【００６２】
Ｓ１１０にて、ＨＶ＿ＥＣＵ３２０は、Ｈｉ駆動モードで電動ウォータポンプ１０４を通常制御する。Ｓ１１２にて、ＨＶ＿ＥＣＵ３２０は、Ｌｏ駆動モードで電動ウォータポンプ１０４をスロ−スタート制御する。
【００６３】
なお、予め定められた温度Ｔ（０）〜Ｔ（４）は、ＨＶ水温とＭＧ温度（１）とＭＧ温度（２）とインバータ温度とにおいてそれぞれ速やかに冷却されることが必要となる温度であって、実験等により適合されればよい。
【００６４】
以上のような構造およびフローチャートに基づく本実施の形態に係る冷却装置の動作について説明する。
【００６５】
たとえば、高負荷あるいは高速運転した後直ちに駆動システムが停止されると、電動ウォータポンプ１０４の作動が停止するため、モータ１４０Ａおよびジェネレータ１４０Ｂの周囲に流通するトランスアクスル１００内の冷却通路の冷却液の温度が上昇する。
【００６６】
また、ラジエータ１０６の温度は冷却フィンにより放熱されるため、温度は低下していく。そして、運転者がＩＧスイッチ４００をオンするなどして、駆動システムが再始動されると（Ｓ１００にてＹＥＳ）、予め定められた時間が経過するまでに、ＨＶ水温とＭＧ温度（１）とＭＧ温度（２）とインバータ温度についてのＨｉ駆動条件がいずれも不成立であると（Ｓ１０２にてＮＯ、かつＳ１０４にてＮＯ、かつＳ１０６にてＮＯ、かつＳ１０８にてＮＯ）、電動ウォータポンプ１０４にてＬｏ駆動モードでのスロースタート制御が実行される（Ｓ１１２）。
【００６７】
そのため、Ｈｉ駆動モードにおける通常制御状態における流量よりも制限された流量の冷却液が冷却通路１０８を流通する。そのため、冷却液は、冷却通路１０８内を通常制御状態よりもゆっくりと流通する。そのため、ラジエータ１０６の複数の冷却配管間の流水分布が略均一となる。そのため、トランスアクスル１００に停滞していた比較的温度の高い冷却液は、ラジエータ１０６の各冷却配管に略均一に流通することとなる。すなわち、比較的温度の高い冷却液の熱は、複数の冷却配管のそれぞれに略均一に吸熱されることとなる。そのため、冷却配管の一部に集中して冷却液が流通する場合と比較して、冷却配管からコアプレート１２４に付与される熱応力の集中の度合が緩和される。すなわち、熱衝撃が緩和される。
【００６８】
ＨＶ水温とＭＧ温度（１）とＭＧ温度（２）とインバータ温度とのうち、いずれかの温度についてのＨｉ駆動条件が成立すると（Ｓ１０２にてＹＥＳ、またはＳ１０４にてＹＥＳ、またはＳ１０６にてＹＥＳ、またはＳ１０８にてＹＥＳ）、あるいは、駆動システムが始動してから予め定められた時間が経過すると（Ｓ１００にてＮＯ）、電動ウォータポンプ１０４にてＨｉ駆動モードでの通常制御が実行される（Ｓ１１０）。そのため、インバータ２４０およびモータジェネレータ１４０の温度は予め定められた温度範囲内になるように制御される。
【００６９】
以上のようにして、本実施の形態に係る冷却装置によると、駆動システムが走行準備状態である時における冷却通路内の冷却液の流量が、通常制御状態における流量よりも小さくなると、冷却通路内を冷却液がゆっくりと流通する。ラジエータにおいて、冷却液がゆっくりと流通すると、各冷却配管間の流量の偏りが抑制される。そのため、各冷却配管に略均一の流量の冷却液が流通することになるため、複数の冷却配管のうち一部の冷却配管に流量が偏ることによる熱応力の集中を抑制することができる。すなわち、デッドソーク後、システムが再始動されても、熱応力の分布が平均化されることにより、応力集中等による熱害を抑制することができる。したがって、システム再始動後の熱衝撃が緩和される。また、始動後の電動ウォータポンプの作動量が通常制御状態と比較して低くなるため、騒音および振動を低減することができる。また、電動ウォータポンプは、システムの再始動とともに作動するため、システム停止中に電池の電力が消費されることもない。したがって、システム停止中の電池の電力消費を抑制しつつ、デッドソーク後の熱害を抑制する車両の冷却装置を提供することができる。
【００７０】
なお、本実施の形態においては、駆動システムが走行準備状態になると、走行準備状態以外の通常制御状態における流量よりも制限するようにしたが、流量を増加するようにしてもよい。たとえば、トランスアクスルとラジエータとの間において、流速の増加により冷却液が攪拌されるような構造を有する場合においては、流量を増加させることにより、冷却液の攪拌が促進させることができる。そのため、トランスアクスルに停滞していた比較的温度の高い冷却液が攪拌されることにより、冷却通路内の冷却液の温度分布の偏りが平均化される。そのため、冷却液の熱に起因したラジエータにおける応力集中の度合が低減されることにより、熱害を抑制することができる。したがって、駆動システムの再始動後の熱衝撃を緩和することができる。
【００７１】
さらに、エンジンとモータジェネレータとが搭載されるハイブリッド車両において、モータジェネレータの冷却装置はエンジンの冷却装置とは独立して設けられる。したがって、ハイブリッド車両において、モータジェネレータの冷却装置が大型化すると、搭載性は悪化する傾向にある。本発明においては、流量を制御することによりデッドソーク後のシステム再始動時の熱衝撃を緩和することができるため、冷却装置の構造を大型化することを要しない。そのため、搭載性の悪化を抑制することができる。
【００７２】
また、本実施の形態においては、ＨＶ水温とＭＧ温度（１）とＭＧ温度（２）とインバータ温度とについてＨｉ駆動条件に基づいて電動ウォータポンプの流量を制御したが、ＨＶ水温、ＭＧ温度（１）、ＭＧ温度（２）およびインバータ温度のうちいずれか一つについてのＨｉ駆動条件に基づいて電動ウォータポンプの流量を制御するようにしてもよい。あるいは、駆動システムが始動時であると判断されると、予め定められた時間が経過するまでＬｏ駆動モードで電動ウォータポンプを制御するようにしてもよい。
【００７３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７４】
【図１】ハイブリッド車両の制御ブロック図である。
【図２】本実施の形態に係る冷却装置の構成を示す図である。
【図３】デッドソーク後のモータジェネレータおよびラジエータを流通する冷却液の温度変化を示すタイミングチャートである。
【図４】ラジエータにおける流水分布を示す図である。
【図５】図４の破線枠の拡大図である。
【図６】本実施の形態に係る冷却装置を構成するＨＶ＿ＥＣＵで実行されるプログラムの制御構造を示すフローチャートである。
【図７】ＨＶ水温、モータジェネレータ温度およびインバータ温度についてのＨｉ駆動条件を示す図である。
【符号の説明】
【００７５】
１００  トランスアクスル、１０２  リザーブタンク、１０４  電動ウォータポンプ、１０６  ラジエータ、１０８  冷却通路、１１２，１１４，１１６  冷却配管、１１８，１２２  冷却フィン、１２０  エンジン、１２４  コアプレート、１４０  モータジェネレータ、１４０Ａ  モータ、１４０Ｂ  ジェネレータ、１６０  駆動輪、１８０  減速機、２００  動力分割機構、２２０  走行用バッテリ、２４０  インバータ、２４２  昇圧コンバータ、２６０  バッテリＥＣＵ、２８０  エンジンＥＣＵ、３００  ＭＧ＿ＥＣＵ、３２０  ＨＶ＿ＥＣＵ、４００  イグニッションスイッチ。
【図１】
0004690216.tif 000002
【図２】
0004690216.tif 000003
【図３】
0004690216.tif 000004
【図４】
0004690216.tif 000005
【図５】
0004690216.tif 000006
【図６】
0004690216.tif 000007
【図７】
0004690216.tif 000008